(57)【要約】  【課題】  従来とは全く異なる別個の構成によって容器の破壊を防止することができる棒状化粧料繰出容器を提供する。  【解決手段】  先端に棒状化粧料１０を保持する芯チャック１１ａを有し外周に雄螺子１２ａが形成された螺子棒１と、螺子棒１を回転不能かつ軸線方向に摺動自在に支持する内部を有する筒状のスリーブ２と、スリーブ２に対し後側から軸線を中心として回転可能に連結され、螺子棒１の雄螺子１２ａと螺合する雌螺子３１が内周に形成された筒状の本体３とを備え、スリーブ２と本体３とを相対回転させて螺子棒１に保持した棒状化粧料１０を繰り出す棒状化粧料１０繰出容器であって、螺子棒１が、前側である芯チャック１１ａを有する第一の棒状部材１１と後側である雄螺子１２ａが形成された第二の棒状部材１２とを、通常トルクによる同期回転を可能とし、かつ、過大トルクによる空転を可能とする連結手段１３を介して連結してなるものである。【選択図】  図１
2005312931.tif 000002
【特許請求の範囲】
【請求項１】
先端に棒状化粧料を保持する芯チャックを有し外周に雄螺子が形成された螺子棒と、前記螺子棒を回転不能かつ軸線方向に摺動自在に支持する内部を有する筒状のスリーブと、前記スリーブに対し後側から軸線を中心として回転可能に連結され、前記螺子棒の雄螺子と螺合する雌螺子が内周に形成された筒状の本体とを備え、前記スリーブと本体とを相対回転させて螺子棒に保持した棒状化粧料を繰り出す棒状化粧料繰出容器であって、
前記螺子棒が、前側である前記芯チャックを有する第一の棒状部材と後側である前記雄螺子が形成された第二の棒状部材とを、通常トルクによる同期回転を可能とし、かつ、過大トルクによる空転を可能とする連結手段を介して連結してなるものであることを特徴とする棒状化粧料繰出容器。
【請求項２】
前記連結手段は、前記第一の棒状部材の後端部又は前記第二の棒状部材の先端部に設けられ、外周に軸線方向に延びる突条又は溝が形成された軸部を、該第二の棒状部材の先端部又は該第一の棒状部材の後端部に設けられ、内周に該軸部の突条又は溝と嵌り合う溝又は突条が形成されたソケット内に、該突条及び溝が嵌り合うように嵌挿することにより連結するものであることを特徴とする請求項１に記載の棒状化粧料繰出容器。
【請求項３】
前記連結手段は、前記突条及び溝の少なくともいずれか一方を弾性体としたことを特徴とする請求項２に記載の棒状化粧料繰出容器。
【請求項４】
前記連結手段は、嵌挿された前記軸部が前記ソケット内から抜脱することを防止する抜脱防止手段を有していることを特徴とする請求項２又は３に記載の棒状化粧料繰出容器。
【発明の詳細な説明】
【技術分野】
【０００１】
本発明は、螺子棒に過大トルクが作用したときに容器の破壊を防止する役割を果たすトルクリミッターを備えた棒状化粧料繰出容器に関する。
【背景技術】
【０００２】
従来のこの種の棒状化粧料繰出容器としては、例えば棒状化粧料を保持する芯チャックと雄螺子とを有する螺子棒と、螺子棒を回転不能かつ軸線方向に摺動自在に支持する内部を有するスリーブと、スリーブの後部に対して軸線周りで回転可能に連結され、螺子棒の雄螺子と螺合する雌螺子を有する筒状の本体とを備え、スリーブと本体とを相対回転させて螺子棒に保持した棒状化粧料を繰り出す棒状化粧料繰出容器であって、雌螺子が形成された本体の内部が過大トルクにより雄螺子及び雌螺子の螺合解除を可能とする変形性を有しているものが開示されている（例えば、特許文献１参照）。
【特許文献１】特開２００３−１５９１１９号公報
【０００３】
かかる棒状化粧料繰出容器によれば、螺子棒に過大トルクが作用したときに雄螺子及び雌螺子の螺合解除により螺子棒が空転する所謂トルクリミッターを作動させることが可能となっており、これにより、容器を破壊させないことが可能となっている。
【発明の開示】
【発明が解決しようとする課題】
【０００４】
ところで、従来のこの種の棒状化粧料繰出容器におけるトルクリミッターは、何らかの意味で螺子棒及びスリーブの係合部又は螺子棒及び本体の係合部の構造を工夫する手段を採用することにより具現化されているが、かかる手段以外の手段は提案されていないことから、技術の選択肢が狭められているのが現状である。
【０００５】
そこで、本発明の課題は、従来とは全く異なる別個の構成によって容器の破壊を防止することができる棒状化粧料繰出容器を提供することにある。
【課題を解決するための手段】
【０００６】
上記課題を解決するため、本発明に係る棒状化粧料繰出容器は、先端に棒状化粧料を保持する芯チャックを有し外周に雄螺子が形成された螺子棒と、螺子棒を回転不能かつ軸線方向に摺動自在に支持する内部を有する筒状のスリーブと、スリーブに対し後側から軸線を中心として回転可能に連結され、螺子棒の雄螺子と螺合する雌螺子が内周に形成された筒状の本体とを備え、スリーブと本体とを相対回転させて螺子棒に保持した棒状化粧料を繰り出す棒状化粧料繰出容器であって、螺子棒が、前側である芯チャックを有する第一の棒状部材と後側である雄螺子が形成された第二の棒状部材とを、通常トルクによる同期回転を可能とし、かつ、過大トルクによる空転を可能とする連結手段を介して連結してなるものである。
【０００７】
ここで、雄螺子には、外周面に間欠的に配される突起群又は外周面に螺旋状かつ間欠的に配される突起群であってねじ山と同様な働きをするものが形成された螺子棒の部分を含む。また、雌螺子には、内周面に間欠的に配される突起群又は内側表面に螺旋状かつ間欠的に配される突起群であってねじ山と同様な働きをするものが形成された本体の部分を含む。
【０００８】
このような棒状化粧料繰出容器によれば、螺子棒が第一の棒状部材と第二の棒状部材とを通常トルクによる同期回転が可能であって過大トルクによる空転が可能な状態に連結することにより構成されているので、何らかの意味で螺子棒及びスリーブの係合部又は螺子棒及び本体の係合部の構造を工夫することとしていた従来の技術的手段とは全く異なる別個の構成によってトルクリミッターを作動させることが可能となり、これにより容器の破壊を防止することが可能となる。
【０００９】
したがって、これによれば、技術の選択肢を広げること、つまり、技術の豊富化に資することが可能となる。
【００１０】
このような技術的手段において、通常トルク時に同期回転せず又は過大トルク時に空転しないこととなる不具合を確実に回避し得るようにして、より確実に容器の破壊を防止しようとする観点からすれば、連結手段は、第一の棒状部材の後端部又は第二の棒状部材の先端部に設けられ、外周に軸線方向に延びる突条又は溝が形成された軸部を、第二の棒状部材の先端部又は第一の棒状部材の後端部に設けられ、内周に軸部の突条又は溝と嵌り合う溝又は突条が形成されたソケット内に、突条及び溝が嵌り合うように嵌挿することにより連結するものであることが好ましい。
【００１１】
また、通常トルク時に同期回転せず又は過大トルク時に空転しないこととなる不具合をさらに確実に回避し得るようにして、より一層確実に容器の破壊を防止しようとする観点からすれば、連結手段は、突条及び溝の少なくともいずれか一方を弾性体としたことが好ましい。
【００１２】
さらに、ソケット内に嵌挿された軸部の抜脱によって第一の棒状部材及び第二の棒状部材の連結が解除される不具合を生じさせないようにして、螺子棒に保持した棒状化粧料を繰り出すという本棒状化粧料繰出容器の本来的な機能を担保しようとする観点からすれば、連結手段は、嵌挿された軸部がソケット内から抜脱することを防止する抜脱防止手段を有していることが好ましい。
【発明の効果】
【００１３】
本発明に係る棒状化粧料繰出容器によれば、従来の技術的手段とは全く異なる別個の構成によってトルクリミッターを作動させることが可能となり、ひいては技術の豊富化に資することとなる。
【発明を実施するための最良の形態】
【００１４】
以下、添付図面に基づいて本発明の実施の形態を詳細に説明する。
【００１５】
図１は本発明の一実施の形態に係る棒状化粧料繰出容器の全体構成を示す縦断面図、図２は図１のＡ−Ａ断面図、図３は同Ｂ−Ｂ断面図、図４は螺子棒の構成を示す縦断面図、図５は螺子棒の構成を示す斜視図、図６はスリーブの構成を示す縦断面図、図７はスリーブの構成を示す斜視図、図８は本体の構成を示す縦断面図、図９は本体の構成を示す斜視図である。
【００１６】
本実施の形態において、棒状化粧料繰出容器は、例えば使用者が内蔵される棒状化粧料たるアイブロー１０を適宜繰り出して使用する目的に用いられるものとして構成されている（図１参照）。
【００１７】
そして、この棒状化粧料繰出容器は、同図に示すように、螺子棒１と、筒状のスリーブ２と、筒状の本体３とを備えるものとして構成されている。
【００１８】
以下、これらの各構成要素についてさらに詳細に説明する。
【００１９】
（１）螺子棒１
【００２０】
螺子棒１は、図１〜図５に示すように、先端にアイブロー１０を保持する芯チャック１１ａを有し、外周に形成された雄螺子１２ａを有するものとして構成されている。
【００２１】
このような螺子棒１により、後述するスリーブ２及び本体３内に収容して組み付けることが可能となっており、その結果、スリーブ２と本体３とを相対回転させることで螺子棒１に保持したアイブロー１０を繰り出し得る棒状化粧料繰出容器の基本的な構成を実現させることが可能となっている。
【００２２】
本発明において螺子棒１は、軸線を同一とする第一の棒状部材１１と第二の棒状部材１２とに分割されている。そして、これらの第一の棒状部材１１及び第二の棒状部材１２を通常トルクによる同期回転を可能とし、かつ、過大トルクによる空転を可能とする連結手段１３を介して連結してなるものとして構成されている（図１及び図３〜図５参照）。
【００２３】
具体的には、連結手段１３は、これらの図に示すように、第一の棒状部材１１の後端部に設けられ、後側に向けて開口するソケット１３ａと、第二の棒状部材１２の先端部に設けられ、ソケット１３ａ内に嵌挿されるべき軸部１３ｂとを備えたものとして構成されている。、
【００２４】
そして、軸部１３ｂには、図３に示すように、外側に向けて突出し、かつ、軸線方向に延びる突条４１が形成されている。一方、ソケット１３ａには、同図に示すように、突条４１と嵌り合う溝４２が形成されている。これら突条４１及び溝４２のうち、少なくともいずれか一方は、弾性体として構成されている。
【００２５】
要すれば、連結手段１３は、軸部１３ｂをソケット１３ａ内に突条４１及び溝４２が嵌り合うように嵌挿することにより連結するものである。
【００２６】
このように、螺子棒１に第一の棒状部材１１と第二の棒状部材１２とを過大トルクによる空転を可能とする状態に連結してなるものであることを要求するのは、螺子棒１に過大トルクが作用したときに第一の棒状部材１１及び第二の棒状部材１２の同期回転を解除することにより、従来とは全く異なる別個の構成によってトルクリミッターを作動させることが可能な棒状化粧料繰出容器とするためである。したがって、このような役割を果たすものであれば、本発明において突条４１及びこれと嵌り合う溝４２を有する連結手段１３の代わりに、例えば突条４１や溝４２を有しない連結手段であってソケット１３ａ及び軸部１３ｂの間に働く摩擦抵抗の程度を調節することにより過大トルクによる空転を可能とするものその他の連結手段を用いても差し支えない。
【００２７】
加えて、螺子棒１に通常トルクによる同期回転を可能とする状態に連結してなるものであることを要求するのは、過大トルクによる空転が可能な螺子棒１のうち、通常トルクによる同期回転が不可能な螺子棒１を排除することにより、スリーブ２と本体３とを相対回転させて螺子棒１に保持したアイブロー１０を繰り出すという棒状化粧料繰出容器の基本的な機能を担保するためである。したがって、このような役割を果たすものであれば、本発明において突条４１及びこれと嵌り合う溝４２を有する連結手段１３の代わりに、例えば突条４１や溝４２を有しない連結手段であってソケット１３ａ及び軸部１３ｂの間に働く摩擦抵抗の程度を調節することにより通常トルクによる同期回転を可能とするものその他の連結手段を用いることが可能である。
【００２８】
本実施の形態においては、連結手段１３は、ソケット１３ａ内に嵌挿された軸部１３ｂがソケット１３ａ内から抜脱することを防止する抜脱防止手段１３ｃを有している。
【００２９】
このような連結手段１３により、ソケット１３ａ内に嵌挿された軸部１３ｂの抜脱によって第一の棒状部材１１及び第二の棒状部材１２の連結が解除される不具合を生じさせないことが可能となっており、これにより、螺子棒１に保持したアイブロー１０を繰り出すという本実施の形態に係る棒状化粧料繰出容器の本来的な機能を担保することが可能となっている。
【００３０】
さらに、螺子棒１は、図１〜図５に示すように、回転止め１４が設けられたものとして構成されている。
具体的には、この回転止め１４は、図１並びに図４及び図５に示すように、芯チャック１１ａから間隔をおいて芯チャック１１ａの後側に設けられ、かつ、図１に示すように、螺子棒１の繰り出し動作の最大限を規制するものとして構成されている。
【００３１】
ここで、図１に示すように、芯チャック１１ａから間隔をおいて芯チャック１１ａの後側に設けた回転止め１４に螺子棒１の繰り出し動作の最大限を規制するものであることを要求するのは、回転止め１４に繰り出し動作の最大限を規制するストッパー部材としての役割をも果たさせることにより、芯チャック１１ａにおいて生じる負荷を可及的に低減することが可能な棒状化粧料繰出容器とするためである。したがって、このような役割を果たすものであれば、本発明において芯チャック１１ａから間隔をおいて芯チャック１１ａの後側に設けた回転止め１４の代わりに、芯チャック１１ａの後側に隣接して設けた回転止めその他の回転止めを用いることが可能である。
【００３２】
なお、図１に示すように、スリーブ２内には、スリーブ２の前側に対してスリーブ２の後側を大きい内径寸法に設定することでスリーブ２の前側とスリーブ２の後側との間に段差２２が形成されているが、螺子棒１の繰り出し動作の最大限の規制は、この段差２２に回転止め１４の部分１４ａを当接させることにより行われる。
【００３３】
（２）スリーブ２
【００３４】
スリーブ２は、図１〜図３並びに図６及び図７に示すように、筒状を呈するものであって、螺子棒１を回転不能かつ軸線方向に摺動自在に支持する内部２１を有するものとして構成されている。
【００３５】
このようなスリーブ２により、後述する本体３とともに内部２１に螺子棒１を収容して組み付けることが可能となっており、その結果、スリーブ２と本体３とを相対回転させて螺子棒１に保持したアイブロー１０を繰り出し得る棒状化粧料繰出容器の基本的な構成を実現させることが可能となっている。
【００３６】
（３）本体３
【００３７】
本体３は、図１に示すように、筒状を呈するものであって、スリーブ２の後部に対し軸線を中心として回転可能に連結されている。
【００３８】
そして、この本体３は、図１並びに図８及び図９に示すように、螺子棒１の雄螺子１２ａと螺合する雌螺子３１と、雌螺子３１の後側の内部から内側に向けて突出し、かつ、軸線方向に延びるリブたるストッパー３３とを有するものとして構成されている。
【００３９】
ここで、雌螺子３１は、図１に示すように、本体３内に雌螺子３１が形成された内部を有する筒状部材を回転不能に装着するとともにスリーブ２の後側端とストッパー３３との間に挟み付けて固定することにより具体化されている。
【００４０】
このような本体３により、スリーブ２とともに内部２１に螺子棒１を収容して組み付けることが可能となっており、その結果、スリーブ２と本体３とを相対回転させて螺子棒１に保持したアイブロー１０を繰り出し得る棒状化粧料繰出容器の基本的な構成を実現させることが可能となっている。
【００４１】
なお、本実施の形態において、図１に示すように、スリーブ２と本体３との間にＯリング４が装着されており、これにより、スリーブ２と本体３とを相対回転させるに際しての適度な回転抵抗が確保されることとなっている（図６及び図７参照）。
【００４２】
上記したように、本実施の形態における棒状化粧料繰出容器は、螺子棒１が第一の棒状部材１１と第二の棒状部材１２とを通常トルクによる同期回転が可能であって過大トルクによる空転が可能な状態に連結することにより構成されている。
【００４３】
したがって、このような棒状化粧料繰出容器によれば、何らかの意味で螺子棒及びスリーブの係合部又は螺子棒及び本体の係合部の構造を工夫することとしていた従来の技術的手段とは全く異なる別個の構成によってトルクリミッターを作動させることが可能となっており、これにより容器の破壊を防止することが可能となっている。
【００４４】
よって、これによれば、技術の選択肢を広げること、つまり、技術の豊富化に資することが可能となっている。
【００４５】
以上、本実施の形態においては、棒状化粧料としてアイブローを用いる場合について説明したが、本発明は、このような実施の形態に限られるものではない。例えばアイライナーナー、リップライナー、コンシーラーその他の棒状化粧料を用いる場合に広く適用可能である。
【図面の簡単な説明】
【００４６】
【図１】本発明の一実施の形態に係る棒状化粧料繰出容器の全体構成を示す縦断面図である。
【図２】図１のＡ−Ａ断面図である。
【図３】同Ｂ−Ｂ断面図である。
【図４】螺子棒を示す縦断面図である。
【図５】同斜視図である。
【図６】スリーブを示す縦断面図である。
【図７】同斜視図である。
【図８】本体を示す縦断面図である。
【図９】同斜視図である。
【符号の説明】
【００４７】
１ 螺子棒
２ スリーブ
３ 本体
４ Ｏリング
１０ アイブロー
１１ 第一の棒状部材
１１ａ 芯チャック
１２ 第二の棒状部材
１２ａ 雄螺子
１３ 連結手段
１３ａ ソケット
１３ｂ 軸部
１３ｃ 抜脱防止手段
１４ 回転止め
２１ 内部
２２ 段差
３１ 雌螺子
３２ チップ
３３ ストッパー
４１ 突条
４２ 溝
【図１】
2005312931.tif 000003
【図２】
2005312931.tif 000004
【図３】
2005312931.tif 000005
【図４】
2005312931.tif 000006
【図５】
2005312931.tif 000007
【図６】
2005312931.tif 000008
【図７】
2005312931.tif 000009
【図８】
2005312931.tif 000010
【図９】
2005312931.tif 000011